(57)【特許請求の範囲】
【請求項１】
発光素子から出射された光の進行方向を制御する光束制御部材であって、
前記発光素子から出射された光を入射する入射面と、
前記入射面から入射した光をｎ角形状の被照射面に向けて出射する出射面と、を有し、
前記入射面は、前記出射面の反対側に位置する底部の前記発光素子に対応する位置に、前記底部に対して凹形状で形成された角錐面であって、かつ前記角錐面の各面の境界がＲ面である角錐面であり、
前記入射面の前記発光素子の光軸に直交する断面の形状は、前記被照射面の形状と略相似形状であり、
前記出射面の前記発光素子の光軸に直交する断面において、前記被照射面のｎ個の角に対応するｎ個の角のうちの互いに隣接する角を結ぶ各直線は、前記入射面の前記発光素子の光軸に直交する断面の対応する辺と略平行であり、
前記出射面の前記発光素子の光軸に直交する断面は、当該出射面の断面において、前記被照射面のｎ個の角に対応するｎ個の角のうちの互いに隣接する角を結ぶ各直線により形成されるｎ角形と同じであるか、その内部に含まれる、
光束制御部材。
【請求項２】
前記出射面を構成する複数の面のうち、前記発光素子の光軸と接触し、かつ前記入射面を構成するｎ個の平面のそれぞれに対応するｎ個の曲面は、それぞれ、当該平面に対して凸形状の曲面である、請求項１に記載の光束制御部材。
【請求項３】
前記出射面を構成する複数の面に含まれる前記ｎ個の曲面は、それぞれ、前記出射面の前記発光素子の光軸に直交する断面において直線となるように形成されている、請求項２に記載の光束制御部材。
【請求項４】
前記出射面を構成する複数の面に含まれる前記ｎ個の曲面の境界は、Ｒ面を有していない、請求項１に記載の光束制御部材。
【請求項５】
請求項１から請求項４のいずれか一項に記載の光束制御部材と、発光素子とを有し、
前記光束制御部材は、前記発光素子の光軸が前記角錐面の頂点を通過するように配置されている、発光装置。
【請求項６】
請求項５に記載の発光装置と、
前記発光装置からの光を照射される、多角形状の被照射面と、を有し、
前記発光装置は、前記発光素子の光軸と前記被照射面とが直交するように配置されている、
照明装置。
【発明の詳細な説明】
【技術分野】
【０００１】
本発明は、発光素子から出射された光の進行方向を制御する光束制御部材に関する。また、本発明は、前記光束制御部材を有する発光装置、および前記発光装置を有する照明装置に関する。
【背景技術】
【０００２】
近年、省エネルギーの観点から、照明用の光源として、蛍光灯やハロゲンランプなどに代わり、発光ダイオード（ＬＥＤ）が使用されるようになってきている。
【０００３】
発光ダイオードを用いて被照射面を照らした場合、光源（発光ダイオード）の直下と光源から離れた位置との間で照度が大きく異なる。したがって、１つの発光ダイオードを用いて広い被照射面を照らした場合、光源の直下と被照射面の周縁部との間で照度が大きく異なってしまう。発光ダイオードを用いて広い被照射面を均一に照らす方法としては、多数の発光ダイオードを密に配置することが考えられる。しかし、このような方法は、省エネルギーの観点から好ましくない。
【０００４】
また、発光ダイオードを用いて広い被照射面を均一に照らす別の方法として、レンズを用いて発光ダイオードから出射された光の配光を広げることが考えられる（例えば、特許文献１参照）。特許文献１には、発光素子と、発光素子からの光の配光を広げるレンズ部とを含む発光素子ユニットが記載されている。レンズ部は、発光素子からの光を入射する入射面と、入射面から入射した光を拡散出射する出射面を有する。レンズ部の形状は、発光素子の光軸を中心軸とする回転対称（円対称）である。したがって、平面視したときのレンズ部の形状は、円形である。特許文献１に記載の発光素子ユニットを用いることで、発光素子からの光を広い被照射面にある程度均一に照射することができる。
【先行技術文献】
【特許文献】
【０００５】
【特許文献１】特開２００９−１５２１４２号公報
【発明の概要】
【発明が解決しようとする課題】
【０００６】
特許文献１に記載の発光素子ユニットを用いて平面状の被照射面に光を照射した場合、光の照射範囲は略円形状となる。したがって、特許文献１に記載の発光素子ユニットを用いて矩形状の被照射面に光を照射した場合、被照射面の四隅が暗くなるおそれがある。また、被照射面の四隅に十分に光を照射しようとすると、必要以上に光を広げて無駄な光が発生してしまう。
【０００７】
このように、従来の光束制御部材（レンズ）を使用した場合、発光素子から出射された光を多角形状の被照射面に効率的に照射することができなかった。
【０００８】
本発明は、かかる点に鑑みてなされたものであり、多角形（ｎ角形：ｎは３以上の整数）状の被照射面に発光素子から出射された光を均一かつ効率的に照射することができる光束制御部材を提供することを目的とする。また、本発明は、この光束制御部材を有する発光装置、およびこの発光装置を有する照明装置を提供することも目的とする。
【課題を解決するための手段】
【０００９】
本発明の光束制御部材は、発光素子から出射された光の進行方向を制御する光束制御部材であって、前記発光素子から出射された光を入射する入射面と、前記入射面から入射した光をｎ角形状の被照射面に向けて出射する出射面と、を有し、前記入射面は、前記出射面の反対側に位置する底部の前記発光素子に対応する位置に、前記底部に対して凹形状で形成された角錐面であって、かつ前記角錐面の各面の境界がＲ面である角錐面であり、前記入射面の前記発光素子の光軸に直交する断面の形状は、前記被照射面の形状と略相似形状であり、前記出射面の前記発光素子の光軸に直交する断面において、前記被照射面のｎ個の角に対応するｎ個の角のうちの互いに隣接する角を結ぶ各直線は、前記入射面の前記発光素子の光軸に直交する断面の対応する辺と略平行であり、前記出射面の前記発光素子の光軸に直交する断面は、当該出射面の断面において、前記被照射面のｎ個の角に対応するｎ個の角のうちの互いに隣接する角を結ぶ各直線により形成されるｎ角形と同じであるか、その内部に含まれる、構成を採る。
【００１０】
本発明の発光装置は、上記光束制御部材と発光素子とを有し、前記光束制御部材は前記発光素子の光軸が前記角錐面の頂点を通過するように配置されている、構成を採る。
【００１１】
本発明の照明装置は、上記発光装置と、前記発光装置からの光を照射される多角形状の被照射面とを有し、前記発光装置は前記発光素子の光軸と前記被照射面とが直交するように配置されている、構成を採る。
【発明の効果】
【００１２】
本発明の光束制御部材を有する発光装置は、多角形状の被照射面に発光素子から出射された光を均一かつ効率的に照射することができる。また、本発明の照明装置は、多角形状の被照射面に均一かつ効率的に光を照らすことができる。
【図面の簡単な説明】
【００１３】
【図１】図１Ａは、実施の形態１の照明用レンズの上面斜視図であり、図１Ｂは、実施の形態１の照明用レンズの下面斜視図である。
【図２】図２Ａは、実施の形態１の照明用レンズの平面図であり、図２Ｂは、実施の形態１の照明用レンズの底面図である。
【図３】図３Ａは、図２Ａに示されるＡ−Ａ線の断面図であり、図３Ｂは、図２Ａに示されるＢ−Ｂ線の断面図であり、図３Ｃは、図２Ａに示されるＣ−Ｃ線の断面図である。
【図４】粗面化領域を説明するための実施の形態１の照明用レンズの底面図である。
【図５】図３Ｂに示されるＤ−Ｄ線の断面図である。
【図６】Ｒ面を含まない入射面を有する照明用レンズの断面図である。
【図７】図７Ａは、実施の形態１の照明用レンズを使用したときの照度分布を示す図である。図７Ｂは、従来の照明用レンズを使用したときの照度分布を示す図である。
【図８】図８Ａは、従来の照明用レンズの平面図であり、図８Ｂは、従来の照明用レンズの底面図であり、図８Ｃは、図８Ａに示されるＦ−Ｆ線の断面図である。
【図９】図９Ａは、比較用の照明用レンズの上面斜視図であり、図９Ｂは、比較用の照明用レンズの下面斜視図である。
【図１０】図１０Ａは、比較用の照明用レンズの上面斜視図であり、図１０Ｂは、比較用の照明用レンズの下面斜視図である。
【図１１】図１１Ａは、比較用の照明用レンズの上面斜視図であり、図１１Ｂは、比較用の照明用レンズの下面斜視図である。
【図１２】図１２Ａは、比較用の照明用レンズの上面斜視図であり、図１２Ｂは、比較用の照明用レンズの下面斜視図である。
【図１３】図１３Ａは、比較用の照明用レンズの上面斜視図であり、図１３Ｂは、比較用の照明用レンズの下面斜視図である。
【図１４】実施の形態１の照明装置の斜視図である。
【図１５】図１５Ａは、実施の形態１の発光装置の配光分布を示すグラフであり、図１５Ｂは、実施の形態１の照明装置の側面図である。
【図１６】図１６Ａは、実施の形態２の照明用レンズの平面図であり、図１６Ｂは、実施の形態２の照明用レンズの底面図である。
【図１７】実施の形態２の照明用レンズの側面図である。
【図１８】図１８Ａは、図１６Ａに示されるＡ−Ａ線の断面図であり、図１８Ｂは、図１６Ａに示されるＢ−Ｂ線の断面図であり、図１８Ｃは、図１６Ａに示されるＣ−Ｃ線の断面図である。
【図１９】図１９Ａは、図１８Ｂに示されるＤ−Ｄ線の断面図であり、図１９Ｂは、図１８Ｂに示されるＥ−Ｅ線の断面図である。
【図２０】図２０Ａは、実施の形態２の照明用レンズを使用したときの照度分布を示す図である。図２０Ｂは、実施の形態１の照明用レンズを使用したときの照度分布を示す図である。
【発明を実施するための形態】
【００１４】
以下、本発明の実施の形態について、図面を参照して詳細に説明する。以下の説明では、本発明の光束制御部材の代表例として、発光素子から出射された光を正方形（ｎ角形：ｎ＝４）状の被照射面に効率的に照射することができる照明用レンズについて説明する。
【００１５】
なお、本明細書において「正方形状の被照射面」とは、光が照射される面であって、光の照射範囲が正方形状である面を意味する。したがって、「正方形状の被照射面」は、正方形状の平板には限定されない。たとえば、円形の平板に正方形状に光を照射する場合、光が照射される面は「正方形状の被照射面」に該当する。
【００１６】
（実施の形態１）
［照明用レンズおよび発光装置の構成］
図１〜５は、実施の形態１の照明用レンズ１００の構成を示す図である。図１Ａは、照明用レンズ１００の上面斜視図であり、図１Ｂは、照明用レンズ１００の下面斜視図である。図２Ａは、照明用レンズ１００の平面図であり、図２Ｂおよび図４は、照明用レンズ１００の底面図である。図３Ａは、図２Ａに示されるＡ−Ａ線の断面図であり、図３Ｂは、図２Ａに示されるＢ−Ｂ線の断面図であり、図３Ｃは、図２Ａに示されるＣ−Ｃ線の断面図である。図５は、図３Ｂに示されるＤ−Ｄ線の断面図である。
【００１７】
なお、図３Ａでは、照明用レンズ１００と共に発光素子２００も図示している。すなわち、図３Ａは、実施の形態１の発光装置３００の断面図でもある。
【００１８】
図１〜３に示されるように、照明用レンズ１００は、発光素子２００から出射された光を入射する入射面１１０と、入射面１１０から入射した光を正方形（ｎ角形：ｎ＝４）状の被照射面に向けて出射する出射面１２０と、外周部に設けられたフランジ１３０と、フランジ１３０の底面側に設けられた円柱状の足１４０とを有する。
【００１９】
照明用レンズ１００は、一体成形により形成されている。照明用レンズ１００の材料は、所望の波長の光を通過させ得るものであれば特に限定されない。たとえば、照明用レンズ１００の材料は、ポリメタクリル酸メチル（ＰＭＭＡ）やポリカーボネート（ＰＣ）、エポキシ樹脂（ＥＰ）などの光透過性樹脂、またはガラスである。
【００２０】
照明用レンズ１００は、中心軸ＣＡが発光素子２００の光軸に合致するように、発光素子２００が固定された基板（図示せず）上に取り付けられる（図３Ａ参照）。フランジ１３０および足１４０は、照明用レンズ１００を基板に固定するために設けられている。照明用レンズ１００および発光素子２００は、発光装置３００を構成する。発光素子２００は、例えば白色発光ダイオードなどの発光ダイオード（ＬＥＤ）である。
【００２１】
照明用レンズ１００の入射面１１０は、照明用レンズ１００の底部（出射面１２０の反対側に位置する）に形成された凹部１１１の内面である。凹部１１１の形状は、略四角錐形状である。すなわち、入射面１１０は、照明用レンズ１００の底部の発光素子２００に対応する位置に形成され、照明用レンズ１００の底部に対して凹形状の四角錐面（四角錐の側面）である。凹部１１１の開口部の形状（四角錐の底面の形状）は、被照射面の形状（正方形）と略相似形状である。また、照明用レンズ１００の中心軸ＣＡ（発光素子の光軸）に直交する方向（以下「水平方向」ともいう）の任意位置での入射面１１０の断面形状も、被照射面の形状（正方形）と略相似形状である。ここで、上記「任意位置」は、凹部１１１の各平面１１２（後述するＲ面１１３ではない面）を横切る位置である。また、後述するように、四角錐はＲ面取りされており、入射面１１０の水平方向の断面の角部にはＲ部分が形成される。したがって、入射面１１０の水平方向の断面の形状は、被照射面の形状（正方形）と「略」相似形状である。
【００２２】
凹部１１１の各平面１１２の境界（稜線および頂点）は、Ｒ面１１３となっている（図２Ｂ参照）。したがって、凹部１１１の頂部近傍における水平方向の断面の形状は、直線部分が少なく円形に近い。入射面１１０の各平面１１２の境界がＲ面１１３ではない場合、被照射面の中央部および対角線上に光を向かわせることができず、照度ムラが生じてしまう。Ｒ面１１３の半径は、被照射面の照度ムラを防止することができれば特に限定されない。たとえば、Ｒ面１１３の半径は、以下のように設定される。
【００２３】
図６に示されるように、Ｒ面を含まない入射面に光が入射したと仮定する。発光素子の発光点Ｏ（光軸上の点）から光軸方向に出射される光（実線）が、図６において左側に示される入射面Ｓ１に入射した場合、光は、出射面上の点Ｂ１を経由して被照射面上の点Ａ１に到達する。一方、発光素子の発光点Ｏから光軸方向に出射される光（実線）が、図６において右側に示される入射面Ｓ２に入射した場合、光は、出射面上の点Ｂ２を経由して被照射面上の点Ａ２に到達する。このとき、被照射面上の点Ａ１と点Ａ２との間の領域は、光量不足により暗部となってしまう。この領域が暗部とならないように、Ｒ面を形成する。
【００２４】
線分ＯＢ１と入射面Ｓ１との交点をｂ１とし、線分ＯＢ２と入射面Ｓ２との交点をｂ２としたとき、点ｂ１および点ｂ２を接点とする内接円の半径が、Ｒ面の最小半径となる。このようにＲ面を形成することで、出射面の点Ｂ１と点Ｂ２との間にも光が到達し、被照射面の点Ａ１と点Ａ２との間にも光を照射することができる。
【００２５】
Ｒ面の半径を上記最小半径以上とすることで、被照射面の暗部の発生を抑制することができる。暗部の発生をより確実に抑制するためには、図６に示される点ａ１および点ａ２を接点とする内接円の半径を、Ｒ面の半径とすることが好ましい。ここで、点ａ１は、線分ＯＡ１と入射面Ｓ１との交点であり、点ａ２は、線分ＯＡ２と入射面Ｓ２との交点である。なお、Ｒ面の領域を必要以上に大きくして、入射面１１０の形状が球面に近くなると、光軸近傍の出射光を被照射面の周縁方向に振り分けることができず、被照射面の中心部に明部が発生してしまう。
【００２６】
ここでは、角錐面の頂点部分のＲ面の半径について説明したが、角錐面の稜線部分のＲ面の半径も同様である。
【００２７】
入射面１１０の説明に戻る。角錐面の稜線部分のＲ面１１３のうち、頂点近傍の領域（図４において「Ｅ」で示される領域）は、粗面化されている。このように粗面化することで、被照射面に十字形（Ｘ字形）の照度ムラが発生するのを抑制することができる。なお、Ｒ面１１３の全面を粗面化してしまうと、被照射面の四隅における照度が低下するおそれがある。
【００２８】
前述の通り、照明用レンズ１００は、中心軸ＣＡが発光素子２００の光軸に合致するように配置される。このとき、発光素子２００の光軸は、角錐面（入射面１１０）の頂点を通過する（図３Ａ参照）。
【００２９】
出射面１２０は、照明用レンズ１００において入射面１１０の反対側に位置する。出射面１２０の水平方向の断面形状（光軸に直交する方向の断面形状）は、被照射面の形状（正方形）と略相似形状である（図５参照）。
【００３０】
入射面１１０の水平方向の断面形状および出射面１２０の水平方向の断面形状は、いずれも被照射面の形状（正方形）と略相似形状である。このとき、２つの略正方形の向きは、一致している。すなわち、図５に示される出射面１２０の水平方向の断面において、被照射面の４つ（ｎ＝４）の角にそれぞれ対応する４つ（ｎ＝４）の角Ｃ１〜Ｃ４のうちの互いに隣接する角を結ぶ各直線（Ｃ１−Ｃ２，Ｃ２−Ｃ３，Ｃ３−Ｃ４，Ｃ４−Ｃ１）は、入射面１１０の水平方向の断面（正方形）の対応する辺と略平行である。また、照明用レンズ１００と被照射面との位置関係は、入射面１１０の水平方向の断面における各辺および出射面１２０の水平方向の断面における各直線（Ｃ１−Ｃ２，Ｃ２−Ｃ３，Ｃ３−Ｃ４，Ｃ４−Ｃ１）が、それらの辺に対応する被照射面の各辺と略平行となるように配置される。
【００３１】
なお、図５に示される出射面１２０の水平方向の断面において、出射面１２０の断面は、被照射面の４つ（ｎ＝４）の角に対応する４つ（ｎ＝４）の角Ｃ１〜Ｃ４のうちの互いに隣接する角を結ぶ各直線（Ｃ１−Ｃ２，Ｃ２−Ｃ３，Ｃ３−Ｃ４，Ｃ４−Ｃ１）により形成される四角形と同じである（重複する）。
【００３２】
図３Ａおよび図３Ｂに示されるように、出射面１２０を構成する４つ（ｎ＝４）の曲面は、入射面１１０を構成する４つ（ｎ＝４）の平面１１２のうち最も近接する平面１１２（対応する平面１１２）に対して凸形状の曲面である。また、出射面１２０を構成する４つ（ｎ＝４）の曲面は、水平方向には曲率を有していない（図５参照）。すなわち、出射面１２０の水平方向の断面において、出射面１２０を構成する４つの曲面は、それぞれ直線となるように形成されている。この場合、発光素子２００の周りに４つのシリンドリカルレンズを配置したような構成となる。このようにすることで、被照射面の周縁部に向けて光を集光させることができる。また、入射面１１０と異なり、出射面１２０を構成する４つ（ｎ＝４）の曲面の境界は、Ｒ面を有していない（図１Ａ参照）。ただし、金型を加工する際に必要となる最小のＲ面は形成されていてもよい。
【００３３】
フランジ１３０および足１４０は、照明用レンズ１００を支持する。前述の通り、フランジ１３０および足１４０は、照明用レンズ１００を基板に固定するために設けられている。したがって、フランジ１３０および足１４０は、この目的を達成しうる形状であって、光学的に悪影響を与えない形状であれば、本実施の形態で示す形状に限定されない。
【００３４】
実施の形態１の照明用レンズ１００を使用することで、発光素子２００の光軸方向に向かう光を減らすとともに、被照射面の四隅に向かう光を増やすことができる。その結果、実施の形態１の照明用レンズ１００を使用することで、発光素子からの光を正方形状の被照射面に均一かつ効率的に照射することができる。
【００３５】
図７Ａは、実施の形態１の照明用レンズ１００および発光素子２００を含む発光装置３００を使用して、正方形状の被照射面を照らしたときの照度分布を示す図である。この実験では、発光素子２００と被照射面との間隔を２５０ｍｍとした。また、被照射面の大きさは、５００ｍｍ×５００ｍｍとした。
【００３６】
本実験で使用した照明用レンズ１００（ＰＭＭＡ製）の各部の大きさは次の通りである。
平面視したときの入射面１１０（略正方形）の１辺の長さ：８.２ｍｍ
平面視したときの出射面１２０（正方形）の１辺の長さ：７.６７ｍｍ
凹部１１１の開口部から出射面１２０の頂点までの高さ：４ｍｍ
Ｒ面１１３の半径：２ｍｍ
【００３７】
図７Ａでは、正方形状の被照射面（５００ｍｍ×５００ｍｍ）に色を付している。各数値は、当該部位における照度（単位：ｌｘ）である。図７Ａに示されるように、実施の形態１の照明用レンズ１００を使用した場合、正方形状の被照射面内にほぼ均一に光を照射することができた（１９２〜２６６ｌｘ）。一方、被照射面外には、ほとんど光が照射されなかった（１２〜３５ｘ）。これらのことから、正方形状の被照射面が、均一かつ効率的に照らされていることがわかる。
【００３８】
図７Ｂは、従来の照明用レンズおよび発光素子を含む発光装置を使用して、正方形状の被照射面を照らしたときの照度分布を示す図である。この実験では、従来の照明用レンズとして、図８に示される照明用レンズ１０（ＰＭＭＡ製）を使用した。
【００３９】
図８Ａは、従来の照明用レンズの平面図であり、図８Ｂは、従来の照明用レンズの底面図であり、図８Ｃは、図８Ａに示されるＦ−Ｆ線の断面図である。平面視したときの入射面１１（円形）の直径は、実施の形態の照明用レンズ１００の平面視したときの入射面１１０（略正方形）の内接円の直径とほぼ同じである。また、平面視したときの出射面１２（円形）の直径は、実施の形態の照明用レンズ１００の平面視したときの出射面１２０（正方形）の外接円の直径とほぼ同じである。
【００４０】
図７Ｂに示されるように、従来の照明用レンズ１０を使用した場合、正方形状の被照射面の中心部に比べて四隅の照度が低く、照度ムラが生じていた。また、被照射面外にも光が照射されたため（３５〜７３ｘ）、実施の形態１の照明用レンズ１００に比べて被照射面内の照度が低かった（６６〜１３６ｌｘ）。
【００４１】
このように、実施の形態１の照明用レンズ１００を使用することで、従来の照明用レンズ１０に比べて、発光素子２００からの光を正方形状の被照射面に均一かつ効率的に照射することができる。
【００４２】
なお、本発明者らは、図９〜１３に示される形状の照明用レンズについても同様の実験を行った。
【００４３】
図９に示される照明用レンズは、出射面１２０の水平断面の形状が円形である点で、実施の形態１の照明用レンズ１００と異なる。図９Ａは、上面斜視図であり、図９Ｂは、下面斜視図である。図９に示される照明用レンズを使用した場合、正方形状の被照射面の四隅が暗くなってしまった。
【００４４】
図１０に示される照明用レンズは、入射面１１０が円錐面（頂点近傍はＲ面となっている）である点で、実施の形態１の照明用レンズ１００と異なる。図１０Ａは、上面斜視図であり、図１０Ｂは、下面斜視図である。図１０に示される照明用レンズを使用した場合、正方形状の被照射面の中心領域が暗くなってしまった。
【００４５】
図１１に示される照明用レンズは、入射面１１０の各面の境界にＲ面が無い（稜線がある）点で、実施の形態１の照明用レンズ１００と異なる。図１１Ａは、上面斜視図であり、図１１Ｂは、下面斜視図である。図１１に示される照明用レンズを使用した場合、正方形状の被照射面の中心領域および対角線の近傍領域が暗くなってしまった。
【００４６】
図１２に示される照明用レンズは、出射面１２０の各面の境界にＲ面があり（稜線が無い）、かつ入射面１１０の各面の境界にＲ面が無い（稜線がある）点で、実施の形態１の照明用レンズ１００と異なる。図１２Ａは、上面斜視図であり、図１２Ｂは、下面斜視図である。図１２に示される照明用レンズを使用した場合も、正方形状の被照射面の中心領域および対角線の近傍領域が暗くなってしまった。
【００４７】
図１３に示される照明用レンズは、照明用レンズ１００を平面視したときに、入射面１１０の外縁により形成される正方形と出射面の外縁により形成される正方形とが４５°ずれており、かつ入射面１１０の各面の境界にＲ面が無い（稜線がある）点で、実施の形態１の照明用レンズ１００と異なる。図１３Ａは、上面斜視図であり、図１３Ｂは、下面斜視図である。図１３に示される照明用レンズを使用した場合、正方形状の被照射面の中心領域および対角線の近傍領域に光が集中してしまった。
【００４８】
以上の実験結果から、正方形状の被照射面を均一かつ効率的に照射するためには、以下の１）〜３）の条件を満たすことが重要であることがわかる。
１）入射面１１０が、各面の境界がＲ面である角錐面であること。
２）入射面１１０の水平断面の形状が、被照射面の形状と略相似形状であること。
３）出射面１２０の水平断面の４つの角が、入射面１１０の水平断面の４つの角と対応すること。すなわち、出射面１２０の水平断面において、被照射面の４つの角に対応する４つの角のうちの互いに隣接する角を結ぶ各直線は、入射面１１０の水平断面の対応する辺と略平行であること。
【００４９】
［照明装置の構成］
次に、実施の形態１の発光装置３００を有する照明装置について説明する。
【００５０】
図１４は、実施の形態１の照明装置４００の斜視図である。図１４に示されるように、照明装置４００は、発光装置３００および正方形状の被照射面４１０を有する。前述の通り、発光装置３００は、照明用レンズ１００および発光素子２００を含む。
【００５１】
被照射面４１０は、正方形（ｎ角形：ｎ＝４）状の平面である。発光装置３００は、照明用レンズ１００の中心軸ＣＡおよび発光素子２００の光軸（図３Ａ参照）に対して被照射面４１０が直交するように配置される。このとき、照明用レンズ１００の中心軸ＣＡおよび発光素子２００の光軸は、被照射面４１０の中心部を通過する。
【００５２】
前述の通り、照明用レンズ１００の入射面１１０の水平断面および出射面１２０の水平断面は、いずれも略正方形状である。ここで、これら２つの略正方形の各辺と、被照射面４１０の各辺とが互いに平行になるように、発光装置３００は配置される。
【００５３】
照明装置４００は、発光装置３００から出射された光により被照射面４１０を照らすことで使用される。実施の形態１の発光装置３００は、正方形状の被照射面４１０を均一に照らすとともに、被照射面４１０外はほとんど照らさない。したがって、照明装置４００は、正方形状の被照射面４１０を均一かつ効率的に照らすことができる。
【００５４】
図１５Ａは、実施の形態１の発光装置３００の配光分布を示すグラフである（測定角０°）。また、図１５Ｂは、実施の形態１の照明装置４００の側面図である。
【００５５】
図１５Ａに示されるように、実施の形態１の発光装置３００は、所定の角度±θａ（図１５Ａのグラフでは約±５０°）における照度が最も高くなる。このθａの値は、発光素子２００の基板面に対する入射面１１０の角度および出射面１２０の各面の曲率により変化する。図１５Ｂに示されるように、発光装置３００の中心軸（照明用レンズ１００の中心軸ＣＡに一致する）に対する、発光装置３００と被照射面４１０の端部とを結ぶ線の角度をθＬとした場合、被照射面４１０を効率的に照らすためには、θＬ＞θａとなるように発光装置３００を配置することが好ましい。
【００５６】
［効果］
実施の形態１の照明用レンズ１００、発光装置３００および照明装置４００は、正方形状の被照射面４１０に発光素子２００から出射された光を均一かつ効率的に照射することができる。
【００５７】
（実施の形態２）
［照明用レンズおよび発光装置の構成］
図１６〜１９は、実施の形態２の照明用レンズ５００の構成を示す図である。図１６Ａは、照明用レンズ５００の平面図であり、図１６Ｂは、照明用レンズ５００の底面図である。図１７は、照明用レンズ５００の側面図である。図１８Ａは、図１６Ａに示されるＡ−Ａ線の断面図であり、図１８Ｂは、図１６Ａに示されるＢ−Ｂ線の断面図であり、図１８Ｃは、図１６Ａに示されるＣ−Ｃ線の断面図である。図１９Ａは、図１８Ｂに示されるＤ−Ｄ線の断面図であり、図１９Ｂは、図１８Ｂに示されるＥ−Ｅ線の断面図である。
【００５８】
なお、図１８Ａでは、照明用レンズ５００と共に発光素子２００も図示している。すなわち、図１８Ａは、実施の形態２の発光装置６００の断面図でもある。
【００５９】
図１６〜１９に示されるように、実施の形態２の照明用レンズ５００は、実施の形態１の照明用レンズ１００と同様に、入射面１１０、出射面５１０、フランジ１３０および足１４０を有する。実施の形態２の照明用レンズ５００および発光装置６００は、照明用レンズの出射面以外の構成要素については実施の形態１の照明用レンズ１００および発光装置３００とほぼ同一である（入射面のＲ面の半径などがわずかに異なる）。そこで、実施の形態１の照明用レンズ１００および発光装置３００と同一の構成要素については、同一の符号を付してその説明を省略する。
【００６０】
出射面５１０は、照明用レンズ５００において入射面１１０の反対側に位置する。図１７に示されるように、出射面５１０は、上方（光軸上における光の進行方向）に位置する４つの面５１０ａと、側方（フランジ１３０側）に位置する４つの面５１０ｂとからなる。上方に位置する４つの面５１０ａは、実施の形態１の照明用レンズ１００の出射面１２０の一部と同一形状である（図３Ａと図１８Ａとを比較参照）。一方、側方に位置する４つの面５１０ｂは、それぞれ光軸に対して略平行な面（フランジ１３０に対して略垂直な面）である。出射面５１０の上方部分における水平方向の断面形状は、被照射面の形状（正方形）と略相似形状である（図１９Ｂ参照）。一方、出射面５１０の下方部分における水平方向の断面形状は、被照射面の形状（正方形）と略相似形状ではない（図１９Ａ参照）。
【００６１】
出射面５１０の水平方向の断面における、被照射面の４つ（ｎ＝４）の角に対応する４つ（ｎ＝４）の角Ｃ１〜Ｃ４の位置は、入射面１１０の水平方向の断面における４つ（ｎ＝４）の角と対応している。すなわち、図１９Ａおよび図１９Ｂに示される出射面５１０（５１０ａ，５１０ｂ）の水平方向の断面において、被照射面の４つ（ｎ＝４）の角に対応する４つ（ｎ＝４）の角Ｃ１〜Ｃ４のうちの互いに隣接する角を結ぶ各直線（Ｃ１−Ｃ２，Ｃ２−Ｃ３，Ｃ３−Ｃ４，Ｃ４−Ｃ１）は、入射面１１０の水平方向の断面（正方形）の対応する辺と略平行である。照明用レンズ５００と被照射面との位置関係は、入射面１１０の水平方向の断面における各辺および出射面５１０の水平方向の断面における各直線（Ｃ１−Ｃ２，Ｃ２−Ｃ３，Ｃ３−Ｃ４，Ｃ４−Ｃ１）が、それらの辺に対応する被照射面の各辺と略平行となるように配置される。
【００６２】
図１９Ａに示される出射面５１０の下方部分における水平方向の断面において、出射面５１０（５１０ｂ）の断面は、被照射面の４つ（ｎ＝４）の角に対応する４つ（ｎ＝４）の角Ｃ１〜Ｃ４のうちの互いに隣接する角を結ぶ各直線（Ｃ１−Ｃ２，Ｃ２−Ｃ３，Ｃ３−Ｃ４，Ｃ４−Ｃ１）により形成される四角形の内部に含まれる。一方、図１９Ｂに示される出射面５１０の上方部分における水平方向の断面において、出射面５１０（５１０ａ）の断面は、被照射面の４つ（ｎ＝４）の角に対応する４つ（ｎ＝４）の角Ｃ１〜Ｃ４のうちの互いに隣接する角を結ぶ各直線（Ｃ１−Ｃ２，Ｃ２−Ｃ３，Ｃ３−Ｃ４，Ｃ４−Ｃ１）により形成される四角形と同じである（重複する）。
【００６３】
図１８Ａおよび図１８Ｂに示されるように、出射面５１０を構成する８つの面のうち、発光素子の光軸（照明用レンズ５００の中心軸ＣＡ）と接触し、かつ入射面１１０を構成する４つ（ｎ＝４）の平面１１２のそれぞれに対応する４つの曲面５１０ａは、それぞれ、最も近接する平面１１２（対応する平面１１２）に対して凸形状の曲面である。また、これらの４つ（ｎ＝４）の曲面５１０ａは、水平方向には曲率を有していない（図１９Ｂ参照）。すなわち、照明用レンズ５００の中心軸ＣＡに直交する断面（水平方向の断面）において、４つ（ｎ＝４）の曲面５１０ａは、それぞれ直線となるように形成されている。この場合、発光素子２００の周りに４つのシリンドリカルレンズを配置したような構成となる。このようにすることで、被照射面の周縁部に向けて光を集光させることができる。また、これらの４つ（ｎ＝４）の曲面５１０ａの境界は、Ｒ面を有していない（図１６Ａ参照）。
【００６４】
実施の形態２の照明用レンズ５００を使用することで、実施の形態１の照明用レンズ１００と同様に、発光素子からの光を正方形状の被照射面に均一かつ効率的に照射することができる。
【００６５】
図２０Ａは、実施の形態２の照明用レンズ５００および発光素子２００を含む発光装置６００を使用して、正方形状の被照射面を照らしたときの照度分布を示す図である。また、図２０Ｂは、実施の形態１の照明用レンズ１００および発光素子２００を含む発光装置３００を使用して、正方形状の被照射面を照らしたときの照度分布を示す図である。
【００６６】
図２０Ａおよび図２０Ｂに示されるように、実施の形態１の照明用レンズ１００を使用した場合も、実施の形態２の照明用レンズ５００を使用した場合も、正方形状の被照射面内にほぼ均一に光を照射することができた。一方、被照射面外には、ほとんど光が照射されなかった。また、図２０Ａと図２０Ｂとを比較すると、実施の形態２の照明用レンズ５００を使用した場合、実施の形態１の照明用レンズ１００を使用した場合よりも、被照射面外への光の照射がより抑制されており、正方形状の被照射面がより効率的に照らされていた。図２０Ａおよび図２０Ｂに示される測定結果において、測定範囲の最外縁と色付きの被照射面との間の測定ポイントの照度値（図中、二重線で囲む測定値）を比較すると、実施の形態１の照明用レンズ１００を使用した場合に比べて（１５１〜２０４）、実施の形態２の照明用レンズ５００を使用した場合の方が低くなっている（５９〜１３１）。このことから、実施の形態２の照明用レンズ５００の方が、実施の形態１の照明用レンズ１００よりも、照射領域を正方形状に制御する効果が高いということがわかる。
【００６７】
［効果］
実施の形態２の照明用レンズ５００および発光装置６００ならびに実施の形態２の発光装置６００を有する照明装置（不図示；図１４参照）は、実施の形態１の照明用レンズ１００、発光装置３００および照明装置４００と同様に、正方形状の被照射面に発光素子２００から出射された光を均一かつ効率的に照射することができる。
【００６８】
なお、上記各実施の形態では、正方形（ｎ角形：ｎ＝４）状の被照射面を照射するための照明用レンズ１００，５００、発光装置３００，６００および照明装置４００について説明したが、本発明の照明用レンズ、発光装置および照明装置はこれに限定されない。被照射面の形状は、多角形（ｎ角形：ｎは３以上の整数）であれば特に限定されず、三角形（ｎ＝３）や五角形（ｎ＝５）、六角形（ｎ＝６）などであってもよい。この場合、入射面の水平断面の形状は、被照射面の形状（多角形）と略相似形状となる。
【産業上の利用可能性】
【００６９】
本発明の光束制御部材、発光装置および照明装置は、多角形状の被照射面に発光素子から出射された光を均一かつ効率的に照射することができる。本発明の発光装置および照明装置は、例えば、植物栽培用の照明やタスクライト（卓上照明）、読書灯などとして有用である。
【符号の説明】
【００７０】
１０，１００，５００  照明用レンズ
１１，１１０  入射面
１１１  凹部
１１２  平面
１１３  Ｒ面
１２，１２０，５１０（５１０ａ，５１０ｂ）  出射面
１３０  フランジ
１４０  足
２００  発光素子
３００，６００  発光装置
４００  照明装置
４１０  被照射面
ＣＡ  中心軸
【図１】
0005756722.tif 000002
【図２】
0005756722.tif 000003
【図３】
0005756722.tif 000004
【図４】
0005756722.tif 000005
【図５】
0005756722.tif 000006
【図６】
0005756722.tif 000007
【図７】
0005756722.tif 000008
【図８】
0005756722.tif 000009
【図９】
0005756722.tif 000010
【図１０】
0005756722.tif 000011
【図１１】
0005756722.tif 000012
【図１２】
0005756722.tif 000013
【図１３】
0005756722.tif 000014
【図１４】
0005756722.tif 000015
【図１５】
0005756722.tif 000016
【図１６】
0005756722.tif 000017
【図１７】
0005756722.tif 000018
【図１８】
0005756722.tif 000019
【図１９】
0005756722.tif 000020
【図２０】
0005756722.tif 000021